(57)【要約】【課題】人手による再調整なく、自動でかつ高精度に、撮像に用いられるパルスの位相を調整できるようにする。加えて、温度変化や時間劣化などによる外乱を考慮して、位相調整の禁止、中止、再調整が行えるようにする。【解決手段】撮像素子２で得られたアナログ撮像信号Ｓａをデジタル値に変換して得られるデジタル撮像信号Ｓｄが入力され、デジタル撮像信号に基づいて撮像に用いられるパルスの位相を調整する位相調整装置Ａであって、画素領域内の複数の画素について、デジタル撮像信号の輝度のレベルを検出する輝度レベル検出部２１と、輝度レベル検出結果に応じてパルスの位相を調整するタイミング調整部２３と、タイミング調整部２３による位相の調整前に入力信号が異常か否かを検出し、異常を検出したときは位相の調整を禁止する調整禁止制御手段２４を備える。また、調整中止制御手段２５や再調整制御手段２６を備える。【選択図】図１
2008177735.tif 000002
【特許請求の範囲】
【請求項１】
撮像素子で得られたアナログ撮像信号を画素毎にデジタル値に変換することにより得られるデジタル撮像信号が入力され、前記デジタル撮像信号に基づいて撮像に用いられるパルスの位相を調整する位相調整装置であって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
前記タイミング調整部による位相の調整前に入力信号が異常か否かを検出し、異常を検出したときは位相の調整を禁止する調整禁止制御手段とを備えた位相調整装置。
【請求項２】
前記調整禁止制御手段は、撮像領域の輝度信号を所定の期間測定し、前記輝度信号の分散が所定の閾値を超えていれば、位相調整を禁止する請求項１に記載の位相調整装置。
【請求項３】
前記調整禁止制御手段は、前記撮像素子のＯＢ領域からＯＢレベルを検出し、ＯＢレベルが所定の閾値以上であれば、位相調整を禁止する請求項１に記載の位相調整装置。
【請求項４】
さらに、前記撮像素子の温度を検出する温度検出手段を有し、前記調整禁止制御手段は、前記温度検出手段による検出温度が所定の閾値以上であれば、位相調整を禁止する請求項１に記載の位相調整装置。
【請求項５】
前記調整禁止制御手段は、供給電圧が所定の閾値以下であれば、位相調整を禁止する請求項１に記載の位相調整装置。
【請求項６】
前記調整禁止制御手段は、撮像領域の輝度信号の振幅期間が所定の閾値以下であれば、位相調整を禁止する請求項１に記載の位相調整装置。
【請求項７】
撮像素子で得られたアナログ撮像信号を画素毎にデジタル値に変換することにより得られるデジタル撮像信号が入力され、前記デジタル撮像信号に基づいて撮像に用いられるパルスの位相を調整する位相調整装置であって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
前記タイミング調整部による位相の調整中に入力信号が異常か否かを検出し、異常を検出したときは位相の調整を中止する調整中止制御手段とを備えた位相調整装置。
【請求項８】
前記調整中止制御手段は、撮像領域の輝度信号を所定の期間測定し、前記輝度信号の差分が所定の閾値を超えていれば、位相調整を中止する請求項７に記載の位相調整装置。
【請求項９】
前記調整中止制御手段は、予め定められた期待値との差分をみて決定し、その差分が所定の閾値以上であれば、位相調整を中止する請求項７に記載の位相調整装置。
【請求項１０】
前記調整中止制御手段は、前記撮像素子のＯＢ領域からＯＢレベルを所定の期間測定し、ＯＢレベルの差分が所定の閾値を超えていれば、位相調整を中止する請求項７に記載の位相調整装置。
【請求項１１】
前記調整中止制御手段は、パルスの位相を所定の期間測定し、位相の差分が所定の閾値を超えていれば、位相調整を中止する請求項７に記載の位相調整装置。
【請求項１２】
さらに、前記撮像素子の温度を検出する温度検出手段を有し、温度を所定の期間測定し、前記調整中止制御手段は、温度の差分が所定の閾値を超えていれば、位相調整を中止する請求項７に記載の位相調整装置。
【請求項１３】
前記調整中止制御手段は、撮像領域の高周波成分を所定の期間測定し、高周波成分の差分が所定の閾値を超えていれば、位相調整を中止する請求項７に記載の位相調整装置。
【請求項１４】
前記調整中止制御手段は、供給電圧を所定の期間測定し、供給電圧が所定の閾値を超えていれば、位相調整を中止する請求項７に記載の位相調整装置。
【請求項１５】
前記調整中止制御手段は、撮像領域の輝度信号の振幅期間を測定し、所定の閾値以下であれば、位相調整を中止する請求項７に記載の位相調整装置。
【請求項１６】
前記調整中止制御手段は、撮像領域の輝度信号を測定し、スミアを検出した場合、位相調整を中止する請求項７に記載の位相調整装置。
【請求項１７】
撮像素子で得られたアナログ撮像信号を画素毎にデジタル値に変換することにより得られるデジタル撮像信号が入力され、前記デジタル撮像信号に基づいて撮像に用いられるパルスの位相を調整する位相調整装置であって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
前記タイミング調整部による位相の調整中に入力信号が異常か否かを検出し、異常を検出したときは位相の調整を中止する調整中止制御手段と、
前記調整中止制御手段により位相調整が中止となった後、入力信号が正常であることを検出すると、位相調整を再開する再調整制御手段とを備えた位相調整装置。
【請求項１８】
前記再調整制御手段は、位相調整を中止した場合において、撮像領域の輝度信号を所定の期間測定し、前記輝度信号の分散が所定の閾値以下であれば、再調整を行う請求項１７に記載の位相調整装置。
【請求項１９】
前記再調整制御手段は、位相調整を中止した場合において、前記撮像素子のＯＢ領域からＯＢレベルを所定の期間測定し、ＯＢレベルの分散が所定の閾値以下であれば、再調整を行う請求項１７に記載の位相調整装置。
【請求項２０】
前記再調整制御手段は、位相調整を中止した場合において、パルスの位相を所定の期間測定し、位相の差分の分散が所定の閾値以下であれば、再調整を行う請求項１７に記載の位相調整装置。
【請求項２１】
前記再調整制御手段は、位相調整を中止した場合において、温度を所定の期間測定し、温度の差分の分散が所定の閾値以下であれば、再調整を行う請求項１７に記載の位相調整装置。
【請求項２２】
前記再調整制御手段は、位相調整を中止した場合において、撮像領域の高周波成分を所定の期間測定し、高周波成分の差分の分散が所定の閾値以下であれば、再調整を行う請求項１７に記載の位相調整装置。
【請求項２３】
前記再調整制御手段は、位相調整を中止した場合において、供給電圧を所定の期間測定し、供給電圧が所定の閾値を超えていれば、再調整を行う請求項１７に記載の位相調整装置。
【請求項２４】
前記再調整制御手段は、位相調整を中止した場合において、撮像領域の輝度信号の振幅期間を測定し、所定の閾値以上であれば、再調整を行う請求項１７に記載の位相調整装置。
【請求項２５】
前記再調整制御手段は、位相調整を中止した場合において、撮像領域の輝度信号を測定し、スミアを検出しなかった場合には、再調整を行う請求項１７に記載の位相調整装置。
【請求項２６】
前記再調整制御手段は、所定の時間が経過した場合に、再調整を行う請求項１７に記載の位相調整装置。
【請求項２７】
前記再調整制御手段は、駆動モードが変わった場合に、再調整を行う請求項１７に記載の位相調整装置。
【請求項２８】
前記再調整制御手段は、再調整を行う場合、データ検出範囲を所定の領域に制限する請求項１７に記載の位相調整装置。
【請求項２９】
所定の信号を時間軸方向でサンプリングする請求項１７に記載の位相調整装置。
【請求項３０】
さらに、撮像領域の輝度信号の振幅期間を測定し、所定の期間より短かかった場合、絞りを絞ることで調整可能な信号レベルにする制御手段を備えている請求項１５に記載の位相調整装置。
【請求項３１】
撮像素子で得られたアナログ撮像信号を画素毎にデジタル値に変換することにより得られるデジタル撮像信号が入力され、前記デジタル撮像信号に基づいて撮像に用いられるパルスの位相を調整する位相調整装置であって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
位相調整前に入力信号の異常を検出し、位相調整を禁止する調整禁止制御手段と、
前記タイミング調整部による位相の調整中に入力信号が異常か否かを検出し、異常を検出したときは位相の調整を中止する調整中止制御手段と
前記調整中止制御手段により位相調整が中止となった後、入力信号が正常であることを検出すると、位相調整を再開する再調整制御手段とを備えた位相調整装置。
【請求項３２】
請求項１に記載の位相調整装置を搭載しているデジタルカメラ。
【請求項３３】
請求項７に記載の位相調整装置を搭載しているデジタルカメラ。
【請求項３４】
請求項１７に記載の位相調整装置を搭載しているデジタルカメラ。
【請求項３５】
請求項３１に記載の位相調整装置を搭載しているデジタルカメラ。
【発明の詳細な説明】
【技術分野】
【０００１】
本発明は、デジタルカメラにおける撮像に用いるパルスの位相（タイミング）調整を行う位相調整装置、およびこの位相調整装置が組み込まれたデジタルカメラに関する。
【背景技術】
【０００２】
デジタルカメラ（デジタルスチルカメラ、デジタルビデオカメラ、カメラ付き携帯電話等）は、ＣＣＤやＭＯＳセンサといった撮像素子によって撮像されたアナログ撮像信号をデジタル撮像信号へと変換し、所定の処理を加えた上で記録する。撮像素子によって被写体を撮像するためには、撮像素子を駆動するパルスや信号レベルを検出するパルスなどが必要である。これらのパルスの位相については、製造に起因するばらつきがあることから、ハードウェア設計時に調整することがむずかしい。そこで、製造後に技術者が位相調整を行い、位相調整された位相を示す情報を記憶領域に格納し、実使用において記憶領域から位相情報を読み出して最適位相を設定するようにしている。
【０００３】
従来、また、露光時間を最小としてもっぱらノイズ成分を取り込むようにし、高周波成分（ノイズ成分）が最小となる条件で位相を調整するようにした技術が知られている（例えば特許文献１参照）。
【特許文献１】特開２００５−１５１０８１号公報（第４−８頁、第１−５図）
【発明の開示】
【発明が解決しようとする課題】
【０００４】
デジタルカメラの分野において、位相調整装置を組み込むシステムを種々に変更する場合がある。特に医療用カメラなどの領域においては、デジタルカメラの製造後に撮像素子の交換を行う可能性が出てきている。組み込むシステムや撮像素子が異なると、当然に、それを駆動するパルスの位相も異なることになるため、位相を再調整することとなる。しかし、技術者がマニュアル的に位相を再調整するのでは、組み込むシステムの変更や撮像素子の交換を迅速・容易に行うことはむずかしい。
【０００５】
また、位相調整対象のパルスは複数種類あるが、上記特許文献１の場合には、個々のパルスの特性は考慮せず、すべてのパルスに対して同じ手法で最適位相を求めているため、精度があまり高くない。
【０００６】
また、特許文献１の方法では、自動的な位相調整について、位相調整の禁止、中止、再調整の機能については考慮しておらず、温度変化や時間劣化などの外乱がある場合において、意図しない調整結果になってしまうという課題を有している。
【０００７】
本発明は、このような事情に鑑みて創作したものであり、温度変化や時間劣化などによる外乱を考慮して、位相調整の禁止、中止、再調整が行える位相調整装置を提供することを目的としている。
【課題を解決するための手段】
【０００８】
本発明による位相調整装置は、
撮像素子で得られたアナログ撮像信号を画素毎にデジタル値に変換することにより得られるデジタル撮像信号が入力され、前記デジタル撮像信号に基づいて撮像に用いられるパルスの位相を調整するものであって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
前記タイミング調整部による位相の調整前に入力信号が異常か否かを検出し、異常を検出したときは位相の調整を禁止する調整禁止制御手段とを備えたものである。
【０００９】
本構成によって、入力信号の異常を検出したときは、位相調整を禁止することにより、誤った位相調整が行われることを未然に防ぐことが可能となる。
【００１０】
上記構成の位相調整装置において、前記調整禁止制御手段は、撮像領域の輝度信号を所定の期間測定し、前記輝度信号の分散が所定の閾値を超えていれば、位相調整を禁止するという態様がある。このように構成すれば、撮像素子の出力信号が異常である（撮像対象が動いている場合を含むことがある）と判断することができるため、誤った位相調整が行われることを未然に防ぐことが可能となる。
【００１１】
また、上記構成の位相調整装置において、前記調整禁止制御手段は、前記撮像素子のＯＢ領域からＯＢ（OpticalBlack）レベルを検出し、ＯＢレベルが所定の閾値以上であれば、位相調整を禁止するという態様がある。このように構成すれば、異常なＯＢレベルを検出したときには、ＯＢレベルの影響を受けた入力信号を調整対象とすることが回避される。
【００１２】
また、上記構成の位相調整装置において、さらに、前記撮像素子の温度を検出する温度検出手段を有し、前記調整禁止制御手段は、前記温度検出手段による検出温度が所定の閾値以上であれば、位相調整を禁止するという態様がある。このように構成すれば、異常な温度を検出したときには、温度の影響を受けた入力信号を調整対象とすることが回避される。
【００１３】
また、上記構成の位相調整装置において、前記調整禁止制御手段は、供給電圧が所定の閾値以下であれば、位相調整を禁止するという態様がある。このように構成すれば、供給電圧不足を検出したときには、位相調整によって電力が無駄に消費されることと、電圧不足による誤った位相調整が行われることを未然に防ぐことが可能となる。
【００１４】
また、上記構成の位相調整装置において、前記調整禁止制御手段は、撮像領域の輝度信号の振幅期間が所定の閾値以下であれば、位相調整を禁止するという態様がある。このように構成すれば、波形のなまりを検出したときには、誤った位相調整が行われることを未然に防ぐことが可能となる。
【００１５】
また、本発明による位相調整装置は、
撮像素子で得られたアナログ撮像信号を画素毎にデジタル値に変換することにより得られるデジタル撮像信号が入力され、前記デジタル撮像信号に基づいて撮像に用いられるパルスの位相を調整するものであって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
前記タイミング調整部による位相の調整中に入力信号が異常か否かを検出し、異常を検出したときは位相の調整を中止する調整中止制御手段とを備えたものである。
【００１６】
本構成によって、入力信号の異常を検出したときは、位相調整を中止することにより、誤った位相調整が行われることを未然に防ぐことが可能となる。
【００１７】
上記構成の位相調整装置において、前記調整中止制御手段は、撮像領域の輝度信号を所定の期間測定し、前記輝度信号の差分が所定の閾値を超えていれば、位相調整を中止するという態様がある。このように構成すれば、輝度信号の急激な変化を検出したときには、誤った位相調整が行われることを未然に防ぐことが可能となる。
【００１８】
また、上記構成の位相調整装置において、前記調整中止制御手段は、予め定められた期待値との差分をみて決定し、その差分が所定の閾値以上であれば、位相調整を中止するという態様がある。このように構成すれば、位相調整された値が真に最適値であるか判断することができるため、大きく期待値と差のある調整が行れることを未然に防ぐことが可能となる。
【００１９】
また、上記構成の位相調整装置において、前記調整中止制御手段は、前記撮像素子のＯＢ領域からＯＢレベルを所定の期間測定し、ＯＢレベルの差分が所定の閾値を超えていれば、位相調整を中止するという態様がある。このように構成すれば、ＯＢレベルのずれを検出したときには、ＯＢレベルのずれに伴う位相のずれを未然に防ぐことが可能となる。
【００２０】
また、上記構成の位相調整装置において、前記調整中止制御手段は、パルスの位相を所定の期間測定し、位相の差分が所定の閾値を超えていれば、位相調整を中止するという態様がある。このように構成すれば、位相のずれを検出したときには、誤った位相調整が行われることを未然に防ぐことが可能となる。
【００２１】
また、上記構成の位相調整装置において、さらに、前記撮像素子の温度を検出する温度検出手段を有し、温度を所定の期間測定し、前記調整中止制御手段は、温度の差分が所定の閾値を超えていれば、位相調整を中止するという態様がある。このように構成すれば、温度のずれを検出したときには、温度の影響を受けた入力信号を調整対象とすることが回避される。
【００２２】
また、上記構成の位相調整装置において、前記調整中止制御手段は、撮像領域の高周波成分を所定の期間測定し、高周波成分の差分が所定の閾値を超えていれば、位相調整を中止するという態様がある。このように構成すれば、高周波成分の変化を検出したときには、撮像領域の変化した入力信号を調整対象とすることが回避される。
【００２３】
また、上記構成の位相調整装置において、前記調整中止制御手段は、供給電圧を所定の期間測定し、供給電圧が所定の閾値を超えていれば、位相調整を中止するという態様がある。このように構成すれば、供給電圧不足を検出したときには、誤った位相調整が行われることを未然に防ぐことが可能となる。
【００２４】
また、上記構成の位相調整装置において、前記調整中止制御手段は、撮像領域の輝度信号の振幅期間を測定し、所定の閾値以下であれば、位相調整を中止するという態様がある。このように構成すれば、周波数特性による波形のなまりを検出したときには、精度の悪い調整が行れることを未然に防ぐことが可能となる。
【００２５】
また、上記構成の位相調整装置において、前記調整中止制御手段は、撮像領域の輝度信号を測定し、スミアを検出した場合、位相調整を中止するという態様がある。このように構成すれば、スミアの影響を受けたまま位相調整されることを回避し、誤った位相調整が行われることを未然に防ぐことが可能となる。
【００２６】
また、本発明による位相調整装置は、
撮像素子で得られたアナログ撮像信号を画素毎にデジタル値に変換することにより得られるデジタル撮像信号が入力され、前記デジタル撮像信号に基づいて撮像に用いられるパルスの位相を調整するものであって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
前記タイミング調整部による位相の調整中に入力信号が異常か否かを検出し、異常を検出したときは位相の調整を中止する調整中止制御手段と、
前記調整中止制御手段により位相調整が中止となった後、入力信号が正常であることを検出すると、位相調整を再開する再調整制御手段とを備えたものである。
【００２７】
本構成によって、入力信号の異常を検出したときは、位相調整を中止することにより、誤った位相調整が行われることを未然に防ぐことが可能になるとともに、中止した後に再び調整することで、位相調整中止状態がいたずらに長く続くということや、位相がずれたまま撮像されるといったことは回避される。
【００２８】
また、上記構成の位相調整装置において、前記再調整制御手段は、位相調整を中止した場合において、撮像領域の輝度信号を所定の期間測定し、前記輝度信号の分散が所定の閾値以下であれば、再調整を行うという態様がある。このように構成すれば、輝度信号が安定していることの検出を通じて、自動的に再調整を開始することが可能となる。
【００２９】
また、上記構成の位相調整装置において、前記再調整制御手段は、位相調整を中止した場合において、前記撮像素子のＯＢ領域からＯＢレベルを所定の期間測定し、ＯＢレベルの分散が所定の閾値以下であれば、再調整を行うという態様がある。このように構成すれば、ＯＢレベルが安定していることの検出を通じて、自動的に再調整を開始することが可能となる。
【００３０】
また、上記構成の位相調整装置において、前記再調整制御手段は、位相調整を中止した場合において、パルスの位相を所定の期間測定し、位相の差分の分散が所定の閾値以下であれば、再調整を行うという態様がある。このように構成すれば、パルスの位相が安定していることの検出を通じて、自動的に再調整を開始することが可能となる。
【００３１】
また、上記構成の位相調整装置において、前記再調整制御手段は、位相調整を中止した場合において、温度を所定の期間測定し、温度の差分の分散が所定の閾値以下であれば、再調整を行うという態様がある。このように構成すれば、温度が安定していることの検出を通じて、自動的に再調整を開始することが可能となる。
【００３２】
また、上記構成の位相調整装置において、前記再調整制御手段は、位相調整を中止した場合において、撮像領域の高周波成分を所定の期間測定し、高周波成分の差分の分散が所定の閾値以下であれば、再調整を行うという態様がある。このように構成すれば、高周波成分の変化が少ないことを検出したときには、自動的に再調整を開始することが可能となる。
【００３３】
また、上記構成の位相調整装置において、前記再調整制御手段は、位相調整を中止した場合において、供給電圧を所定の期間測定し、供給電圧が所定の閾値を超えていれば、再調整するという態様がある。このように構成すれば、供給電圧が十分であることの検出を通じて、自動的に再調整を開始することが可能となる。
【００３４】
また、上記構成の位相調整装置において、前記再調整制御手段は、位相調整を中止した場合において、撮像領域の輝度信号の振幅期間を測定し、所定の閾値以上であれば、再調整を行うという態様がある。このように構成すれば、振幅の期間を検出することを通じて、自動的に再調整を開始することが可能となる。
【００３５】
また、上記構成の位相調整装置において、前記再調整制御手段は、位相調整を中止した場合において、撮像領域の輝度信号を測定し、スミアを検出しなかった場合には、再調整を行うという態様がある。このように構成すれば、位相位相調整中止中のスミアの有無を検出し、スミアなしと判断したときは、自動的に再調整を開始することが可能となる。
【００３６】
また、上記構成の位相調整装置において、前記再調整制御手段は、所定の時間が経過した場合に、再調整を行うという態様がある。このように構成すれば、タイマを用いて所定の時間ごとにタイミングを作ることができるため、随時再調整を開始することが可能となる。
【００３７】
また、上記構成の位相調整装置において、前記再調整制御手段は、駆動モードが変わった場合に、再調整を行うという態様がある。このように構成すれば、駆動モードの切り替わりで再調整することができるため、駆動モード変更時の位相のずれを即時調整することが可能となる。
【００３８】
また、上記構成の位相調整装置において、前記再調整制御手段は、再調整を行う場合、データ検出範囲を所定の領域に制限するという態様がある。このように構成すれば、測定範囲が狭まることから測定速度を向上することが可能となる。
【００３９】
また、上記構成の位相調整装置において、所定の信号を時間軸方向でサンプリングするという態様がある。このように構成すれば、平均的な位相を求めることができるため、位相調整の精度を向上することが可能となる。
【００４０】
また、上記構成の位相調整装置において、さらに、撮像領域の輝度信号の振幅期間を測定し、所定の期間より短かかった場合、絞りを絞ることで調整可能な信号レベルにする制御手段を備えているという態様がある。このように構成すれば、１次的な判断で位相調整を中止することを防ぎ、復旧した信号で再調整することが可能となる。
【００４１】
また、本発明による位相調整装置は、
撮像素子で得られたアナログ撮像信号を画素毎にデジタル値に変換することにより得られるデジタル撮像信号が入力され、前記デジタル撮像信号に基づいて撮像に用いられるパルスの位相を調整するものであって、
所定の画素領域内の複数の画素について、前記デジタル撮像信号の輝度のレベルを検出する輝度レベル検出部と、
前記輝度レベル検出部の検出結果に応じて前記パルスの位相を調整するタイミング調整部と、
位相調整前に入力信号の異常を検出し、位相調整を禁止する調整禁止制御手段と、
前記タイミング調整部による位相の調整中に入力信号が異常か否かを検出し、異常を検出したときは位相の調整を中止する調整中止制御手段と
前記調整中止制御手段により位相調整が中止となった後、入力信号が正常であることを検出すると、位相調整を再開する再調整制御手段とを備えたものである。
【００４２】
また、本発明によるデジタルカメラは、上記のいずれかの位相調整装置が搭載されたものである。
【発明の効果】
【００４３】
本発明によれば、撮像素子自体を交換した場合や、外的要因（温度、電圧変化等）、経年劣化によって撮像素子の特性が変化した場合に、タイミングジェネレータから出力されるパルスの位相を調整する過程において、その位相調整が適正に行われないと予測できる場合には、その位相調整を禁止したり、中断し、再調整したりすることができる。
【発明を実施するための最良の形態】
【００４４】
以下、本発明にかかわる位相調整装置搭載のデジタルカメラの実施の形態を図面を用いて詳細に説明する。
【００４５】
図１（ａ）は本発明の実施の形態におけるデジタルカメラの全体的な構成を示すブロック図、図１（ｂ）はＤＳＰの詳細を示すブロック図である。位相調整装置は破線Ａにより示される。本実施の形態におけるデジタルカメラは、被写体像を撮像素子２上に集光するための光学レンズ１と、光学レンズ１によって集光された被写体像を撮像する撮像素子２（以下はＣＣＤを例に説明）と、撮像素子２から出力されるアナログ撮像信号Ｓａに所定の処理を加えてデジタル撮像信号Ｓｄに変換するアナログフロントエンド１０と、アナログフロントエンド１０から出力されるデジタル撮像信号Ｓｄに所定の処理（色補正、ＹＣ処理等）を加えて映像信号を生成するＤＳＰ（Digital Signal Processor）１１とを備えている。撮像素子２は複数の画素を有しており、これらの複数の画素は、被写体の撮像に用いられる有効画素領域と、有効画素領域の周辺に遮光された状態で配置されてＯＢ（OpticalBlack）レベルの検出に用いられるＯＢ画素領域とから構成されている。
【００４６】
アナログフロントエンド１０は、撮像素子２から出力されるアナログ撮像信号Ｓａを、温度上昇によって発生する暗電流の増加分をキャンセルするためにＯＢ領域をクランプするＯＢクランプ回路３、撮像素子（ＣＣＤイメージセンサ）２のアンプ雑音とリセット雑音を除去し、アナログ撮像信号Ｓａの信号レベルを確定するために相関二重サンプリング（ＣＤＳ：Correlated Double Sampling）を行う相関二重サンプリング部４と、相関二重サンプリング部４から出力される信号を調整可能なゲインで増幅する自動利得制御部（ＡＧＣ：AutomaticGain Control）５と、自動利得制御部５によって増幅された信号をデジタル撮像信号Ｓｄへと変換するＡＤ変換器（Analog DigitalConverter）６と、さらに撮像に用いるためのパルスを生成するタイミングジェネレータ（Timing Generator）７と、タイミングジェネレータ７によって生成されたパルスを撮像素子２へと出力するための垂直ドライバ８とを備えている。
【００４７】
ＤＳＰ１１は、全体的なシステムの制御を行うためのＣＰＵ１２、信号処理に必要な一時記憶領域としての記憶手段（ＤＲＡＭ）１３、撮像素子２の温度を測定するための温度センサ１４とを用いて、アナログフロントエンド１０より出力される信号に所定の演算を施し、異常信号を検出することで、タイミングジェネレータ７が生成するパルスの位相（タイミング）調整を行う。１５はレンズ駆動制御部である。なお、温度センサ１４の設置箇所は、撮像素子２の付近に置くことが望ましい。
【００４８】
次に、図１（ｂ）に示すＤＳＰ１１について説明する。２１は所定の領域内の選択された画素の信号レベルの平均値を求めることにより輝度のレベルを検出する輝度レベル検出部、２２は選択された画素間の信号レベルの分散を演算する分散演算部、２３は輝度レベル検出部２１と分散演算部２２の検出・演算結果に基づいて、タイミングジェネレータ７が生成する基準サンプルパルスＤＳ１、ピークサンプルパルスＤＳ２およびＡＤクロック信号ＡＣＫの位相（タイミング）調整を行うタイミング調整部、２４はタイミング調整部２３による位相の調整前に入力信号が異常か否かを検出し、異常を検出したときは位相の調整を禁止する調整禁止制御手段、２５はタイミング調整部２３による位相の調整中に入力信号が異常か否かを検出し、異常を検出したときは位相の調整を中止する調整中止制御手段、２６は調整中止制御手段２５により位相調整が中止となった後、入力信号が正常であることを検出すると、位相調整を再開する再調整制御手段である。
【００４９】
図２は撮像素子２から出力される信号成分を時系列で表した図である。図２に示すように、アナログ撮像信号Ｓａは、リセット期間Ｔ１と基準期間Ｔ２と信号期間Ｔ３とから構成されている。リセット期間Ｔ１は、撮像素子２をリセットするのに用いられる期間である。
【００５０】
基準期間Ｔ２は撮像素子２から基準電圧が出力される期間であり、相関二重サンプリング部４が動作する際の基準となる信号を検出する期間である。信号期間Ｔ３は信号電圧が出力される期間であり、信号期間Ｔ３においてピークとなる信号電圧と基準期間Ｔ２における基準電圧とをサンプリングし、差分をとることによってアナログ撮像信号Ｓａの信号レベルＶｓを得ることが可能となる。なお、図２では、図中の下方向を信号成分が正の方向として規定している。
【００５１】
図３は相関二重サンプリング部４のブロックを示した図である。ＯＢクランプ回路３より出力された信号に対して、基準サンプルパルスＤＳ１、ピークサンプルパルスＤＳ２を与えることにより位相調整を行う。基準サンプルパルスＤＳ１、ピークサンプルパルスＤＳ２はタイミングジェネレータ７から出力される。差動増幅器４ｃは、ＯＢクランプ回路３から出力された信号を、サンプルホールド回路４ａにおいて基準サンプルパルスＤＳ１でサンプリングホールドした信号と、サンプルホールド回路４ｂにおいてピークサンプルパルスＤＳ２でサンプリングホールドした信号を入力し、両信号の差分をとって、その差分信号をアナログ撮像信号Ｓａの信号レベルＶｓとして自動利得制御部５に出力する。
【００５２】
図４は本実施の形態における、各パルスの位相調整の全体フローを示している。調整対象となるパルスは、図３に示すピークサンプルパルスＤＳ２および基準サンプルパルスＤＳ１と、ＡＤ変換器６に対するＡＤクロック信号ＡＣＫとなっている。基準サンプルパルスＤＳ１とは、相関二重サンプリングで基準となる信号成分をサンプリングするためのパルスである。したがって、基準期間の中心において立ち上がりエッジがくるように位相調整されることが望ましい。ピークサンプルパルスＤＳ２とは、信号期間Ｔ３においてピークとなる信号成分をサンプリングするためのパルスである。したがって、撮像素子２から出力される信号成分がピークとなるときに立ち上がりエッジがくるように位相調整されることが望ましい。ここで、相関二重サンプリング部４によって求められる信号レベルＶｓとは、ピークサンプルパルスＤＳ２の立ち上がりにおけるピークの信号成分と、基準サンプルパルスＤＳ１の立ち上がりによって定まる基準期間内の信号成分との差分に他ならない。ＡＤクロック信号ＡＣＫはＡＤ変換器６の動作用のクロック信号であり、ＡＤ変換結果がばらつかないように位相調整されることが望ましい。
【００５３】
ＤＳＰ１１における輝度レベル検出部２１は、輝度レベルを検出すべき第１の画素領域内の複数の画素でのデジタル撮像信号Ｓｄについて輝度レベルを検出し、得られた輝度情報をタイミング調整部２３に与える。タイミング調整部２３は、受け取った輝度情報に基づいて、パルスの位相を調整する。すなわち、信号期間においてピークとなる信号成分をサンプリングするためのピークサンプルパルスＤＳ２の位相調整、および相関二重サンプリングで基準となる信号成分をサンプリングするための基準サンプルパルスＤＳ１の位相調整を行う。
【００５４】
また、分散演算部２２は、画素間の信号ばらつきを示す分散を算出すべき第２の画素領域内の複数の画素について分散を算出し、得られた分散の情報をタイミング調整部２３に与える。タイミング調整部２３は、受け取った分散の情報に基づいて、さらにパルスの位相を調整する。すなわち、アナログ撮像信号Ｓａをデジタル撮像信号ＳｄにＡＤ変換するときの動作クロックであるＡＤクロック信号ＡＣＫの位相調整を行う。
【００５５】
以上の位相調整の処理が、輝度レベル検出部２１と分散演算部２２とタイミング調整部２３との協働により自動的に行われる。加えて、組み込むシステムが変更された場合や撮像素子２が交換された場合のパルスの位相の調整に際し、複数の画素でのデジタル撮像信号Ｓｄについて、実際に、輝度レベル検出部２１が輝度を測定し、分散演算部２２が画素間の信号ばらつきを示す分散を算出して、その輝度および分散を加味した状態でパルスの位相を調整しているので、撮像素子２の駆動のためのパルスの位相の調整の精度が高いものとなる。また、撮像素子２の駆動のためのパルスの各位相を自動調整するので、技術者がマニュアルでパルスの位相を調整する場合に比べて、位相調整処理に要する時間を短縮することが可能となる。
【００５６】
本実施の形態においては、さらに、位相調整のフローでは、外的要因を検出することにより、位相調整の禁止、中止、再調整の制御がなされるようになっている。外的要因とは、温度変化、撮像対象の変化、スミアなどが挙げられる。これらの外的要因は、位相調整において、位相がずれる原因となり得る。外的要因を検出することで位相調整を禁止することにより、誤った位相調整を事前に回避する防ぐことができ、また、位相調整中に異常を検出することで位相調整を中止し、再調整することで、最適な位相を保つことができる。
【００５７】
（位相調整禁止状態検出）
位相調整が開始されると、調整禁止制御手段２４は、まず、位相調整禁止状態か否かを検出するために、撮像領域の輝度信号、撮像素子２のＯＢ領域からＯＢレベル、温度センサ１４から温度、電源からの供給電圧、撮像素子２から出力されるアナログ撮像信号Ｓａの振幅の期間、スミアを測定する（ステップＳ１）。位相調整禁止状態を検出するために、所定の期間測定が必要なものもあり、測定期間が経過した後、次のステップに進む。測定順序には特に指定はなく、またすべてを測定する必要もない。必要な信号のみ用いて測定すればよい。以下、それぞれの信号について説明する。
【００５８】
調整禁止制御手段２４は、所定の撮像領域の輝度信号を所定の期間測定し、前記輝度信号の分散が所定の閾値を超えていれば、位相調整を禁止する。例えば、図５に示すように、位相調整中に撮像データが変化すると輝度信号が変化し、ピークサンプルパルスＤＳ２の値が定まらない。ゆえに位相調整前に輝度信号の分散を確認することで、撮像データが変化していないことを確認する。所定の撮像領域の輝度信号は、画素ごとに保持され、輝度信号はＤＳＰ１１で処理する。所定の期間測定するとは、例えば、数フレームの期間の輝度信号を記憶手段１３に保持しておき、分散演算部２２において分散を求める。この求めた分散値を、予め記憶手段１３に記憶しておいた閾値と比較し、閾値の値を超えていれば位相調整を禁止する。
【００５９】
また、調整禁止制御手段２４は、撮像素子２のＯＢ領域からＯＢレベルを検出し、ＯＢレベルが所定の閾値以上であれば、位相調整を禁止する。撮像素子２では光を遮断した状態でも時間の経過とともに電荷が蓄積されてくる。このように光に関係なく蓄積される電荷を暗電流という。感光部の一部に遮光部を設けて、暗電流の基準値を検出し、そのときの輝度信号レベルをＯＢレベルとする。この値をクランプすることにより、ＯＢレベルからの変化量で信号成分だけが得られる。ＯＢレベルが異常に高い状態では、撮像素子２に何らかの異常がある可能性が高いため、正しい調整がされる保証がなく、位相調整を禁止することが望ましい。ＯＢレベルの異常検出は、撮像素子２のＯＢ領域からＯＢレベルを所定の期間測定し、ＯＢレベルが所定の閾値を超えたかどうかで判断する。また、ＯＢレベルを用いる代わりに、シャッターを閉じた状態の遮光データを用いる方法もある。閾値は記憶手段１３に予め保持されており、この閾値を超えていれば位相調整を禁止する。
【００６０】
また、温度センサ１４によって撮像素子２の温度を検出し、温度が所定の閾値以上であれば、位相調整を禁止する。撮像素子２は温度による影響が大きく、位相がずれる可能性が高い。温度センサ１４からは温度がデジタル値としてＤＳＰ１１に入力する。調整禁止制御手段２４はその温度を所定の閾値以上かどうかを判断する。閾値は記憶手段１３に予め保持されており、この閾値を超えていれば位相調整を禁止する。
【００６１】
また、調整禁止制御手段２４は、電源からの供給電圧が不足している場合は、位相調整を禁止する。これは撮像にかかる電源を優先するためである。供給電圧の閾値は記憶手段１３に予め保持されており、この閾値以下ならば位相調整を禁止する。
【００６２】
また、調整禁止制御手段２４は、輝度信号の振幅期間が短ければ位相調整を禁止する。輝度信号の振幅期間が短いと、トランジスタの周波数特性が十分でない可能性が高い。図６にトランジスタの周波数特性による波形のなまりの様子を示す。波形のなまりによりピークサンプルパルスＤＳ２の位相調整がずれるため、位相調整を禁止する必要がある。輝度信号の振幅期間の測定は、例えば、図７に示すように、ピークサンプルパルスＤＳ２の位相調整時のサンプリングを利用し、予め信号のレベルを３つの領域（リセット領域、安定領域、輝度信号領域）に分け、輝度信号領域のサンプリング数を測定することで振幅期間を測定することができる。
【００６３】
また、調整禁止制御手段２４は、スミアを検出した場合、位相調整を禁止する。スミアとは、強烈な光の入射により、撮像素子２の画素の信号レベルが飽和し、その飽和した電荷が転送方向（上下方向）に伝播することで、画像中に縦筋の高輝度領域が線のように形成される現象である。スミアの検出方法はすでにいくつか提案されているが、例えば、遮光領域に高輝度の縦筋があればスミアを検出したと判断することができる（スミアは遮光領域にも影響する）。
【００６４】
以上のように、ステップＳ１で位相調整禁止状態を検出したならば、ステップＳ４に進み、位相調整を禁止する。位相調整禁止処理は、位相調整前に保持されていた値を設定する処理である。ステップＳ１で位相調整禁止状態が検出されなければ、ステップＳ２に進む。
【００６５】
（位相調整処理）
位相調整禁止状態が検出されなければ、位相調整を行う。まず、基準サンプルパルスＤＳ１、ＡＤクロック信号ＡＣＫを予め定められた初期値に固定した上で、ピークサンプルパルスＤＳ２の位相を初期値からずらしながら、ピークサンプルパルスＤＳ２を決定するのに必要となるデータを測定する。次にそのデータを評価することによって、ピークサンプルパルスＤＳ２としての最適な位相を決定する（ステップＳ５）。
【００６６】
ピークサンプルパルスＤＳ２が決定されると、ピークサンプルパルスＤＳ２を決定された最適値、ＡＤクロック信号ＡＣＫは初期値に固定したままで、基準サンプルパルスＤＳ１の位相を初期値からずらしながら基準サンプルパルスＤＳ１を決定するのに必要となるデータを測定する。次にそのデータを評価することによって、基準サンプルパルスＤＳ１として最適な位相を決定する（ステップＳ６）。
【００６７】
基準サンプルパルスＤＳ１、ピークサンプルパルスＤＳ２が決定されると、これらを最適値に固定した上で、ＡＤクロック信号ＡＣＫの位相を初期値からずらしながらＡＤクロック信号ＡＣＫを決定するのに必要となるデータを測定する。次のそのデータを評価することによって、ＡＤクロック信号ＡＣＫとして最適な位相を決定する（ステップＳ７）。
【００６８】
基準サンプルパルスＤＳ１、ピークサンプルパルスＤＳ２、ＡＤクロック信号ＡＣＫの最適な位相が決定されると、決定された最適な位相に関する情報をタイミングジェネレータ７内のレジスタに設定することによって、最適な位相でパルスが発生される。
【００６９】
図８は調整処理前と調整処理後の様子を示している。位相のずれにより色合いが撮像対象と異なっていた状態から、適切な色合いに調整される。
【００７０】
（位相調整中止状態検出）
位相調整中止状態は割り込みにより検出する。調整中止制御手段２５は、位相調整のステップにおいて、ステップＳ５、ステップＳ６、ステップＳ７で発生した異常信号を検出することで中止と判断する。異常信号の検出は、位相調整中に行い、検出しだい割り込みを発生させ、位相調整を中止する。
【００７１】
位相調整中止状態となる異常信号とは、大きく外部要因と内部要因に分けることができる。外部要因とは、外部的な信号を測定し、異常を検出するものであり、内部要因とは、内部的な信号を測定し、異常を検出するものである。外部要因としては、撮像領域の輝度信号、ＯＢレベル、温度、撮像領域の高周波成分、スミアがあり、内部要因としては、パルスの位相、位相のずれ、供給電圧、輝度信号の振幅期間がある。これらの演算・測定結果が所定の閾値を超えている信号を異常信号とする。内部要因は、定期的なサンプリングにより異常を検出するものであり、外部要因は、外部信号をトリガとして異常を検出するものである。以下、それぞれの信号によって位相調整中止となる処理について説明する。
【００７２】
調整中止制御手段２５は、撮像領域の輝度信号が所定の撮像領域を所定の期間測定し、輝度信号の差分が所定の閾値を超えていれば位相調整を中止する。これは、位相調整中に撮像対象が動いた場合は、撮像素子２から出力される信号が変化してしまうために、輝度レベルが変わり、最適値の検出が困難となる。この輝度レベルの変化を検出するための所定の期間とは、例えばフレーム間であり、１つ前のフレームの画素ごとの輝度信号を記憶手段１３に保持しておき、その差が予め定めていた閾値を超えていれば位相調整を中止する。
【００７３】
基準サンプルパルスＤＳ１、ピークサンプルパルスＤＳ２、ＡＤクロック信号ＡＣＫの各パルスの位相が収束しない場合は、位相調整を中止する。パルスの位相を調整するときには、予め期待値として少なくとも所定の範囲内に収まると仮定して、余裕のある閾値を設定しておく。しかし、この余裕のある幅からも外れた値に位相調整されると、それは最適な信号ではないと判断し、位相調整を続ける。すべての調整範囲について測定をした結果、パルスの位相が決定しない状態に陥った場合は、収束しないと判断し、位相調整を中止する。例えば、ピークサンプルパルスＤＳ２の位相を調整するときに、欠陥のある画素は、輝度レベルが大きくなる場合がある。この値と閾値を比較して、閾値を超えていれば位相調整を中止する。
【００７４】
また、調整中止制御手段２５は、ＯＢレベルの値が変化した場合、位相調整を中止する。ＯＢレベルの値の変化の検出は、撮像素子２のＯＢ領域からＯＢレベルを所定の期間測定し、ＯＢレベルの差分が所定の閾値を超えたかどうかで判断する。所定の期間は、例えば１フレームごととしてもよいし、数フレームごととしてもよい。ＯＢレベルの所定の閾値は、予め記憶手段１３に保持しておく。
【００７５】
また、調整中止制御手段２５は、位相のずれを検出した場合、位相調整を中止する。初期状態において最適な位相調整が行われている場合、その調整位置からの位相のずれは、画質を悪化させる結果となる。位相のずれが検出可能であれば、位相がずれたときに位相調整を行うことで最適な位相を保つことができる。
【００７６】
図９に位相ずれの検出方法を示す。図９のように撮像領域を２分割し、それぞれの領域においてピークサンプルパルスＤＳ２をずらすことにより位相のずれを検出する。信号成分にある安定領域において、ＶsaとＶsbの輝度信号差はゼロとなるが、温度変化などの外乱によって位相がずれた場合、Ｖsa′とＶsbの輝度信号に差が生じる。必ずしも撮像領域を２分割する必要はなく、撮像領域の２ラインだけ用いる方法やＯＢ領域で測定する方法もある。
【００７７】
また、調整中止制御手段２５は、撮像素子２の温度が変化した場合、位相調整を中止する。先にも述べたとおり、撮像素子２は温度によって輝度信号に影響を受ける。温度変化を検出した場合は、直ちに位相調整を中止する。温度変化の検出は、所定の期間における温度センサ１４からのデジタル信号を比較することで求められる。所定の期間とは、例えば１フレームごとでもよいし、数フレームごとでもよい。温度センサ１４から出力されるデジタル信号は、温度を意味しており、記憶手段１３に保持しておく。
【００７８】
また、調整中止制御手段２５は、高周波成分のずれを検出した場合、位相調整を中止する。位相調整中に撮像対象が動いた場合は、撮像素子２から出力される信号が変化してしまうために、輝度信号の変化とともに高周波成分も変化する。ＤＳＰ１１に入力した輝度信号の高周波成分を調べ、所定の期間におけるずれを検出した場合、位相調整を中止する。
【００７９】
また、調整中止制御手段２５は、供給電圧が所定の閾値以下であれば、位相調整を中止する。電源は撮像にかかる供給を優先すべきであるため、無駄な電圧の消費を抑えるために位相調整を中止する。位相調整を中止した場合は、前回調整した設定値を用いる。供給電圧の閾値は記憶手段１３に予め保持されており、この閾値以下ならば位相調整を中止する。また、位相調整を中止するときの判断は、位相調整の進行状態にもより、位相調整の割合が調整完了まで所定の値以上であれば、位相調整を中止せずに調整を続け、そうでなければ位相調整を中止する。
【００８０】
また、調整中止制御手段２５は、輝度信号の振幅期間を測定し、所定の閾値以下であれば、位相調整を中止する。輝度信号の振幅期間は、前述の位相調整禁止で示した方法で求める。位相調整中に所定の閾値以下の振幅を検出すると、位相調整を中止する。ただし、位相調整を中止する前に、絞りを絞ることで、位相調整可能な信号レベルであれば、位相調整を続ける。
【００８１】
また、調整中止制御手段２５は、撮像領域にスミアを検出した場合、位相調整を中止する。スミアの検出方法は、位相調整を禁止するときの方法と同様のものを用いる。
【００８２】
以上のように、位相調整中止状態を検出したならば、割り込みによりステップＳ８に進み、位相調整を中止する。位相調整中止処理は、所定の期間の間、位相調整を中断し、再調整可能な状態に変化するまで待機する処理である（ステップＳ９）。所定の期間が過ぎた場合は、前回設定した値に位相調整する。
【００８３】
（再調整）
位相調整を中止した場合に、再調整制御手段２６は、外乱による影響がなくなったことを検出すれば、再調整を行う（ステップＳ９、ステップＳ１０）。再調整とは、位相調整のステップＳ５からのステップを再び行うことである。以下、正常な状態を検出するための判断について説明する。
【００８４】
位相調整中に調整を中止する異常状態として、撮像領域の輝度信号の変化、パルスの位相が収束しない、ＯＢレベルの値の変化、位相のずれを検出、温度変化、高周波成分のずれを検出、供給電圧の低下、輝度信号の振幅期間の短さ、スミアの検出がある。
【００８５】
再調整制御手段２６は、撮像領域の輝度信号が、所定の期間、所定の領域において、輝度の分散が所定の閾値未満であれば、輝度信号の変化がないものと判断し、位相調整を再開する。
【００８６】
また、再調整制御手段２６は、パルスの位相が収束しなかった場合、所定の期間経過後、再度調整する。収束しない状態が所定の回数を超えたならば、前回設定されていた設定値を用いる。
【００８７】
また、再調整制御手段２６は、ＯＢレベルの値が安定した場合、位相調整を再開する。ＯＢレベルの値が予め定めていた閾値以内であれば位相調整を再開する。
【００８８】
また、再調整制御手段２６は、温度が安定した場合、位相調整を再開する。あるいは、温度が予め定めていた閾値以内であれば位相調整を再開する。
【００８９】
また、再調整制御手段２６は、高周波成分のずれを検出できなかった場合、位相調整を再開する。高周波成分のずれは位相調整禁止の状態を調べるときの方法と同様であり、ずれが所定の閾値以内であれば位相調整を再開する。
【００９０】
また、再調整制御手段２６は、供給電圧が回復すると位相調整を再開する。供給電圧が所定の閾値を超えていれば位相調整を再開する。
【００９１】
また、再調整制御手段２６は、輝度信号の振幅期間が所定の値以上であれば、位相調整を再開する。輝度信号の振幅期間を測定する方法は、位相調整禁止の状態を調べるときの方法と同様であり、輝度信号の振幅期間が所定の閾値以上であれば位相調整を再開する。
【００９２】
（無条件で再調整）
再調整を行うときは、異常信号を検出した場合以外にも、所定の時間が経過した場合、または、駆動モードが変わったときに再調整を行う。
【００９３】
なお、所定の時間が経過した場合において、再調整を行う前に、所定の信号を検出することで位相調整を省くこともできる。所定の信号とは、上記の位相調整中止状態検出に示した内部要因であり、パルスの位相、位相のずれ、供給電圧、輝度信号の振幅期間である。例えば、定期的にピークサンプルパルスＤＳ２の位相のずれを測定し、ずれが発生すれば再調整を行う。
【００９４】
（追加条件）
再調整するシーケンスにおいては、データ検出範囲を制限する。これは初期設定における位相と、ずれの発生した位相とは、それほど差異が大きくないという仮定に基づいて、データの検出範囲は、初期の設定値を決定した周辺の範囲のデータを測定すればよいと考えるものである。
【００９５】
調整シーケンス、再調整シーケンスにおいて、所定の値を測定する場合、時間軸方向でサンプリングすることで、設定値の精度を向上することができる。
【００９６】
図１０に時間軸方向の平均化の様子を示す。位相調整のためのデータ測定の所定のフレーム３１のそれぞれの輝度信号３２と位相３３（ここではピークサンプルパルスＤＳ２の例）から、それぞれの位相パラメータを求め、Ｎフレームの平均を求めている様子を示している。
【産業上の利用可能性】
【００９７】
本発明によって、デジタルカメラにおける撮像に用いるパルスのタイミング調整を自動で行うことが可能になるため、少なくともデジタルカメラにおいて利用可能性がある。
【図面の簡単な説明】
【００９８】
【図１】本発明の実施の形態における位相調整装置搭載のデジタルカメラの全体的な構成を示すブロック図とＤＳＰの詳細を示すブロック図
【図２】本発明の実施の形態において撮像素子から出力される信号成分を時系列で表した図
【図３】本発明の実施の形態における相関二重サンプリング部の回路図
【図４】本発明の実施の形態における位相調整の全体的な動作を示すフローチャート
【図５】本発明の実施の形態における撮像データによる輝度信号の変化を示した図
【図６】本発明の実施の形態におけるトランジスタの周波数特性による波形のなまりの説明図
【図７】本発明の実施の形態における輝度信号の振幅期間の測定方法の説明図
【図８】本発明の実施の形態における位相調整前と位相調整後の様子の説明図
【図９】本発明の実施の形態における位相ずれの検出方法の説明図
【図１０】本発明の実施の形態における時間軸方向の平均化の説明図
【符号の説明】
【００９９】
Ａ  位相調整装置
１  光学レンズ
２  撮像素子
３  ＯＢクランプ回路
４  相関二重サンプリング部（ＣＤＳ）
５  自動利得制御部（ＡＧＣ）
６  ＡＤ変換器（ＡＤＣ）
７  タイミングジェネレータ（ＴＧ）
８  垂直ドライバ
１０  アナログフロントエンド
１１  ＤＳＰ
１２  ＣＰＵ 
１３  記憶手段（ＤＲＡＭ）
１４  温度センサ
１５  レンズ駆動制御部
２１  輝度レベル検出部
２２  分散演算部
２３  タイミング調整部
２４  調整禁止制御手段
２５  調整中止制御手段
２６  再調整制御手段
【図１】
2008177735.tif 000003
【図２】
2008177735.tif 000004
【図３】
2008177735.tif 000005
【図４】
2008177735.tif 000006
【図５】
2008177735.tif 000007
【図６】
2008177735.tif 000008
【図７】
2008177735.tif 000009
【図８】
2008177735.tif 000010
【図９】
2008177735.tif 000011
【図１０】
2008177735.tif 000012